(57)【要約】【課題】情報通知のための画面を適切に表示することができるマルチディスプレイシステムを提供する。【解決手段】マルチディスプレイシステムは、マルチディスプレイ６００と、複数の映像をスイッチングしマルチディスプレイの映像切り換えを行う映像切換装置４００と、複数の映像を合成し１つの映像として出力する映像合成器３００と、を有するマルチディスプレイ表示ユニット１８０と、マルチディスプレイ表示ユニットを制御するシステム制御装置１００とを備え、システム制御装置１００は、操作端末２００からの要求に基づき、情報通知のための画面である情報通知画面を生成する画面生成手段と、生成した情報通知画面をマルチディスプレイ表示ユニットに対し出力する画面出力手段とを有し、システム制御装置１００は、マルチディスプレイに表示している映像と生成した情報通知画面を映像合成器で合成し、マルチディスプレイに合成した映像を表示する。【選択図】図１
2018155985.tif 000002
【特許請求の範囲】
【請求項１】
マルチディスプレイと、複数の映像をスイッチングし前記マルチディスプレイの映像切り換えを行う映像切換装置と、複数の映像を合成し１つの映像として出力する映像合成器と、を有するマルチディスプレイ表示ユニットと、
前記マルチディスプレイ表示ユニットを制御するシステム制御装置とを備え、
前記システム制御装置は、
操作端末からの要求に基づき、情報通知のための画面である情報通知画面を生成する画面生成手段と、
前記生成した情報通知画面を前記マルチディスプレイ表示ユニットに対し出力する画面出力手段とを有し、
前記システム制御装置は、前記マルチディスプレイに表示している映像と前記生成した情報通知画面を前記映像合成器で合成し、前記マルチディスプレイに前記合成した映像を表示する
ことを特徴とするマルチディスプレイシステム。
【請求項２】
前記マルチディスプレイシステムは、複数の前記マルチディスプレイ表示ユニットを有し、
前記情報通知画面のマルチディスプレイへの表示操作において、前記操作端末に、前記情報通知画面の表示先である前記マルチディスプレイ表示ユニットを単一または複数選択させる
ことを特徴とする請求項１に記載のマルチディスプレイシステム。
【請求項３】
前記マルチディスプレイシステムは、前記操作端末と複数の前記マルチディスプレイ表示ユニットとを有し、
前記操作端末は、前記情報通知画面のための情報入力を行う入力部と、前記情報通知画面の表示先である前記マルチディスプレイ表示ユニットを単一または複数選択できる選択部とを有する
ことを特徴とする請求項１に記載のマルチディスプレイシステム。
【請求項４】
前記マルチディスプレイシステムは、複数の前記マルチディスプレイ表示ユニットを有し、
前記マルチディスプレイ表示ユニットへ前記情報通知画面を出力する指令をする際に、前記操作端末に、操作権に関係なく特定または複数の前記マルチディスプレイ表示ユニットを選択させることができ、前記操作端末を介して前記特定または複数の前記マルチディスプレイ表示ユニットに一括で情報通知画面を表示する旨の指令を前記システム制御装置に行う
ことを特徴とする請求項１に記載のマルチディスプレイシステム。
【請求項５】
前記システム制御装置は、前記生成した情報通知画面を前記マルチディスプレイ表示ユニットへ表示する際に、前記情報通知画面の切り出し位置や表示位置を算出して、前記マルチディスプレイ表示ユニットに指令する
ことを特徴とする請求項１に記載のマルチディスプレイシステム。
【請求項６】
前記システム制御装置は、前記生成した情報通知画面を前記マルチディスプレイ表示ユニットへ表示する際に、表示対象のマルチディスプレイに障害が発生していた場合、映像が表示可能な位置に前記情報通知画面を表示する
ことを特徴とする請求項１または請求項２に記載のマルチディスプレイシステム。
【請求項７】
前記システム制御装置は、予め前記マルチディスプレイ表示ユニットの機器情報を収録し記憶部に記録する制御管理部を有する
ことを特徴とする請求項１または請求項２に記載のマルチディスプレイシステム。
【請求項８】
前記システム制御装置は、前記マルチディスプレイに表示している映像と生成した映像を前記映像合成器で合成し、前記マルチディスプレイに前記表示している映像の上に前記生成した映像をポップアップ表示する
ことを特徴とする請求項１に記載のマルチディスプレイシステム。
【請求項９】
前記システム制御装置は、前記ポップアップ表示をするために、前記映像切換装置を制御し、前記マルチディスプレイに表示されているものと同じ映像を前記映像合成器の入力部へ切り換え、前記映像合成器の出力映像を前記マルチディスプレイに切り換えるとともに、前記映像合成器を制御し、前記生成した映像と前記マルチディスプレイに表示されていた映像を合成する
ことを特徴とする請求項８に記載のマルチディスプレイシステム。
【発明の詳細な説明】
【技術分野】
【０００１】
本発明は、映像表示制御技術に関し、マルチディスプレイシステムに関する。
【背景技術】
【０００２】
マルチディスプレイシステムは、複数のディスプレイで構成されたマルチディスプレイに対する個々の映像表示の制御を行うためのシステムとして用いられている。通常これらのシステムは、それぞれの単独のマルチディスプレイに対してシステムを構築し、ディスプレイの表示を任意に切り換える方法が知られている。
【０００３】
また、特許文献１には、「所定の映像信号を出力する複数の映像ソースと、ネットワークに接続されるディスプレイを１以上有する複数のマルチディスプレイと、ネットワークに接続され、マルチディスプレイに対して映像ソースを選択する複数のディスプレイ制御端末と、ネットワークに接続され、複数の映像信号を複数のマルチディスプレイに配信するスイッチャと、ディスプレイ制御端末が出力する指示に基づいて、複数の映像ソースのうち、操作者によって選択された映像ソースを、複数のマルチディスプレイを構成するディスプレイのうち、予め選択された１以上のディスプレイに対して一斉に配信するべく、ネットワークを通じてスイッチャを制御する制御サーバとを具備するマルチディスプレイ制御システム。」が開示されています。
【先行技術文献】
【特許文献】
【０００４】
【特許文献１】特開２０１４−５２５９１号公報
【発明の概要】
【発明が解決しようとする課題】
【０００５】
大規模な監視システムは、基幹となる中央監視所にマルチディスプレイを配備し、また各支部においてもマルチディスプレイを配備することが多い。前記構成におけるマルチディスプレイシステムは、それぞれ独立したシステムが配備される。このため、各所における情報通知手段は、他システムである監視システムに依存し、監視システムで生成された映像をマルチディスプレイシステムに取り込み、マルチディスプレイに表示することで情報を通知する手段がとられている。しかしながら、情報通知手段を有するシステムの映像をマルチディスプレイに表示していないと情報の伝達に不備が生じるケースがある。
【０００６】
また、特許文献１においては、特定のディスプレイ制御端末から特権処理を実行すると、予め指定しておいたディスプレイへ、強制的に所望の映像ソースを配信することができる。しかしながら、情報通知手段として、中央監視所および各支部において相互に情報通知が容易にできない問題があった。
【０００７】
本発明は、前記の課題を解決するための発明であって、情報通知のための画面を適切に表示することができるマルチディスプレイシステムを提供することを目的とする。
【課題を解決するための手段】
【０００８】
前記目的を達成するため、本発明のマルチディスプレイシステムは、マルチディスプレイと、複数の映像をスイッチングしマルチディスプレイの映像切り換えを行う映像切換装置と、複数の映像を合成し１つの映像として出力する映像合成器と、を有するマルチディスプレイ表示ユニットと、マルチディスプレイ表示ユニットを制御するシステム制御装置とを備え、システム制御装置は、操作端末からの要求に基づき、情報通知のための画面である情報通知画面を生成する画面生成手段（例えば、画面生成制御部１２１）と、生成した情報通知画面をマルチディスプレイ表示ユニットに対し出力する画面出力手段（例えば、制御管理部１２）とを有し、システム制御装置は、マルチディスプレイに表示している映像と生成した情報通知画面を映像合成器で合成し、マルチディスプレイに合成した映像を表示することを特徴とする。本発明のその他の態様については、後記する実施形態において説明する。
【発明の効果】
【０００９】
本発明によれば、マルチディスプレイにて、情報通知のための画面を適切に表示することができる。
【図面の簡単な説明】
【００１０】
【図１】本実施形態に係るマルチディスプレイシステムの全体構成を示す図である。
【図２】本実施形態に係るシステム制御装置の構成を示す図である。
【図３】情報通知画面の表示方法であるポップアップ表示方法を示す図であり、（ａ）〜（ｄ）はその手順を示す。
【図４】マルチディスプレイの状態に応じた情報通知画面の表示方法を示す図であり、（ａ）は正常ディスプレイのポップアップの表示例であり、（ｂ）（ｃ）は異常ディスプレイを有するマルチディスプレイのポップアップの表示例である。
【図５】操作端末に表示される情報通知の入力画面の一例を示す図である。
【図６】本実施形態に係るマルチディスプレイシステムを用いた河川監視システムの構成を示す図である。
【図７】マルチディスプレイシステムを用いた情報通知の方法を示す図であり、（ａ）はシステム制御装置の画面例であり、（ｂ）〜（ｄ）は、各所のマルチディスプレイの表示例とその操作画面例である。
【発明を実施するための形態】
【００１１】
以下、本発明の実施形態について図面を参照して詳細に説明する。
図１は、本実施形態に係るマルチディスプレイシステムＭＤＳの全体構成を示す図である。マルチディスプレイシステムＭＤＳは、１以上のマルチディスプレイ表示ユニット１８０と、１以上の操作端末２００、システム制御装置１００を含んで構成されている。マルチディスプレイ表示ユニット１８０は、マルチディスプレイ６００と、映像入力装置５００（例えば、５０１ａ，５０２ａ，・・・，５０ｎａ）からの複数の映像をスイッチングしマルチディスプレイ６００の映像切り換えを行う映像切換装置４００と、複数の映像を合成し１つの映像として出力する映像合成器３００とを有する。システム制御装置１００、操作端末２００、映像合成器３００、映像切換装置４００、マルチディスプレイ６００は、ネットワーク５０を介して通信可能に接続されている。
【００１２】
システム制御装置１００は、映像切換装置４００（映像切換装置４００ａ，・・・４００ｎ）と、映像合成器３００（映像合成器３００ａ，・・・，３００ｎ）と、マルチディスプレイ６００（マルチディスプレイ６００ａ，・・・，６００ｎ）とにネットワーク５０を介して接続されている。システム制御装置１００は、マルチディスプレイ６００をはじめとするこれらの映像機器の制御装置として機能する。また、システム制御装置１００に操作指令を行う操作端末２００（操作端末２００ａ，・・・，２００ｎ）は、ネットワーク５０を介してシステム制御装置１００に接続されている。
【００１３】
システム制御装置１００は、映像出力部１０２を有する。映像合成器３００は、映像入力部３０１、映像出力部３０２を有する。映像切換装置４００は、映像入力部４０１、映像出力部４０２を有する。
【００１４】
システム制御装置１００の映像出力部１０２と映像合成器３００の映像入力部３０１とが、映像ケーブルで接続されている。映像合成器３００の映像出力部３０２と映像切換装置４００の映像入力部４０１とが、映像ケーブルで接続されている。また、映像切換装置４００の映像出力部４０２と映像合成器３００の映像入力部３０１とが、映像ケーブルで接続されている。映像入力装置５００の映像出力部５０２と映像切換装置４００の映像入力部４０１とが映像ケーブルで接続されている。映像切換装置４００の映像出力部４０２とマルチディスプレイ６００の個別ディスプレイとが、映像ケーブルで接続されている。なお、映像入力装置５００には、映像入力装置５０１ａ，５０２ａ，・・・，５０ｎａの映像入力装置群、・・・、映像入力装置５０１ｎ，５０２ｎ，・・・，５０ｎｎの映像入力装置群がある。
【００１５】
図２は、本実施形態に係るシステム制御装置１００の構成を示す図である。システム制御装置１００は、処理部１０、記憶部２０、ネットワーク５０を介して他機と通信を行う通信部３０、表示部３１、映像出力部１０２などを含んで構成されている。適宜図１を参照する。
【００１６】
処理部１０は、Ｗｅｂ（World Wide Web）サーバプログラムを有するＷｅｂサーバ部１１、制御管理部１２（画面出力手段）、情報通知画面７００の生成を行う画面生成制御部１２１（画面生成手段）、マルチディスプレイ６００を制御するマルチディスプレイ制御部１２２、映像切換装置４００を制御する映像切換装置制御部１２３、映像合成器３００を制御する映像合成器制御部１２４を有する。
【００１７】
記憶部２０には、マルチディスプレイシステムＭＤＳが有する構成機器の情報が格納されている。例えば、マルチディスプレイ６００の識別情報、正常または故障の状態などのマルチディスプレイ情報２１、映像切換装置４００の識別情報、スイッチング情報などの映像切換装置情報２２、映像合成器３００の識別情報、情報通知画面７００の位置やサイズ情報などの映像合成器情報２３、操作端末２００の識別情報、操作権限情報などの操作端末情報２４、マルチディスプレイ表示ユニット１８０（図１参照）の構成情報２５、画面生成制御部１２１が生成した情報通知画面７００（図７（ａ）参照）のための情報通知画面情報２６などがある。なお、情報通知画面情報２６とは、Ｗｅｂ用の情報通知用の画面情報である。
【００１８】
操作員は、操作端末２００から、ネットワーク５０を通じて、システム制御装置１００のＷｅｂサーバプログラムから操作を行う。Ｗｅｂサーバプログラムは、アクセスした操作端末２００の操作端末情報２４に基づき、操作端末の権限に応じた操作画面を生成する。操作員は、操作画面から、マルチディスプレイ６００に表示する映像の切換や通知情報の入力などを行う。なお、操作画面の詳細については図７を参照して後記する。
【００１９】
Ｗｅｂサーバプログラムは、操作端末２００からの操作指令を受理すると制御コマンドを生成し、制御管理部１２および画面生成制御部１２１へ通知する。画面生成制御部１２１は、通知情報から、情報通知画面７００（図３参照）の生成を行う。
【００２０】
制御管理部１２は、制御コマンドを解析し、記憶部２０の情報と制御コマンドから機器の制御内容を算出する。また、制御管理部１２は、予めマルチディスプレイ表示ユニット１８０の機器情報、操作端末２００の機器情報などを収録し、記憶部２０に記録する。
【００２１】
制御管理部１２は、マルチディスプレイ情報２１からマルチディスプレイ６００（マルチディスプレイ６００ａ，・・・，６００ｎ）の状態を取得して、情報通知画面７００の表示対象であるマルチディスプレイ６００の異常判別、および、拡大表示状態を判別し、情報通知画面７００の表示位置を決定するとともに、表示位置のマルチディスプレイ６００のそれぞれに対する制御内容を決定する。
【００２２】
また、制御管理部１２は、映像切換装置情報２２から映像切換装置４００（映像切換装置４００ａ，・・・，４００ｎ）のスイッチング情報を取得して情報通知画面７００を表示する位置のマルチディスプレイ６００に表示されている映像を映像合成器３００へ、映像合成器３００で生成された情報通知画面７００を表示対象であるマルチディスプレイ６００へ映像切換を行う制御内容を決定する。
【００２３】
また、制御管理部１２は、映像合成器情報２３から情報通知画面の位置やサイズ情報を取得して映像合成器に対する制御内容を決定する。制御管理部１２は、算出された制御内容をマルチディスプレイ制御部１２２、映像切換装置制御部１２３、映像合成器制御部１２４の各制御部へ命令を送信する。それぞれのマルチディスプレイ制御部１２２、映像切換装置制御部１２３、映像合成器制御部１２４は、受付けた制御命令からネットワーク５０を通じ、制御対象の機器制御を行う。
【００２４】
図３は、情報通知画面の表示方法であるポップアップ表示方法を示す図であり、（ａ）〜（ｄ）はその手順を示す。図３を用いて、本発明の情報通知画面の表示方法について説明する。適宜図１、図２を参照する。
【００２５】
図３（ａ）において、操作端末２００により入力された情報は、システム制御装置１００が受信し情報通知画面７００を生成する。情報通知画面７００とは、例えば、中央監視所および各支部において、マルチディスプレイ６００を見て監視している担当者（操作員）に注意喚起するための画面である。図３（ｂ）は、マルチディスプレイ６００に表示されている画面例である。
【００２６】
システム制御装置１００は、映像切換装置４００を制御してマルチディスプレイ６００に表示中の映像７０１を映像合成器３００に入力する。また、映像合成器３００を制御して情報通知画面７００とマルチディスプレイ６００に表示中の映像７０１を合成し、情報通知画面７００が追加された映像７０２を生成する。その後、システム制御装置１００は、映像切換装置４００を制御し、図３（ｃ）に示すように、情報通知画面７００が追加された映像７０２をマルチディスプレイ６００のディスプレイに表示する。このことで、図３（ｄ）に示すように、情報通知画面７００を含んだマルチディスプレイ６００の表示ができ、情報通知画面７００のポップアップ表示７０３が実現できる。なお、ポップアップとは、表示画面で、最前面に飛び出すように現れるウィンドウなどの表示要素のことをいう。
【００２７】
図４は、マルチディスプレイの状態に応じた情報通知画面の表示方法を示す図であり、（ａ）は正常ディスプレイのポップアップの表示例であり、（ｂ）（ｃ）は異常ディスプレイを有するマルチディスプレイのポップアップの表示例である。図４を用いて、マルチディスプレイの状態に応じた情報通知画面の表示方法について説明する。適宜図１、図２を参照する。
【００２８】
情報通知画面７００は、操作端末２００から情報通知画面の表示対象のマルチディスプレイ６００を選択することで、対象のマルチディスプレイ６００上に情報通知画面７００を表示し、表示対象のマルチディスプレイ６００のいずれかが故障中で表示できない状態になった場合であっても、表示可能なディスプレイ上に情報通知画面を表示する。
【００２９】
システム制御装置１００は、マルチディスプレイ６００の状態を定期的に収集しマルチディスプレイ６００の障害状況を監視し、特定のマルチディスプレイ６００に故障などが発生した場合において操作端末２００から情報通知画面表示の制御コマンドを受付けた際に、正常に動作しているマルチディスプレイ６００の位置を算出し、情報通知画面７００のポップアップ表示を行う。
【００３０】
図４に示すマルチディスプレイ６００は、６つのディスプレイ（左上、中上、右上、左下、中下、右下のディスプレイ）で構成されている。図４（ａ）の場合、左上のディスプレイが正常に動作している場合、その位置に情報通知画面７００が表示される。一方、図４（ｂ）の場合、左上のディスプレイが故障の場合であり、中上のディスプレイに情報通知画面７００が表示される。また、図４（ｃ）の場合、左上、中上、右上、左下のディスプレイが故障の場合であり、中下のディスプレイに情報通知画面７００が表示される。
【００３１】
図５は、操作端末２００に表示される情報通知の入力画面２１０（操作画面）の一例を示す図である。入力画面２１０には、通知メッセージ入力欄２１１、表示先選択ボタン２１２（選択部）、実行ボタン２１３、設定をリセットするためのリセットボタン２１４を有する。なお、入力画面２１０は、操作端末２００のブラウザに表示されているＷｅｂページである。Ｗｅｂページの入力されたデータは、Ｗｅｂサーバであるシステム制御端末１００に送信することができる。
【００３２】
操作員が、操作端末２００を介して通知メッセージ入力欄２１１に通知メッセージを入力すると、操作端末２００に関連付けれられているマルチディスプレイ６００に、通知メッセージ入力欄に入力した情報が表示される。
【００３３】
操作員は、表示先選択ボタン２１２のチェックボックスをクリックすることで、通知メッセージ入力欄２１１に入力した通知メッセージを表示するマルチディスプレイ６００を選択することができる。具体的には、指令本部、会議室、Ａ出張所、Ｂ出張所などのマルチディスプレイ６００がある。すなわち、表示先であるチェックボックスがクリックされ選択されると、チェックボックスにチェックが表示され、通知メッセージ入力欄２１１に入力したメッセージを情報通知画面７００として出力する先を選択できる。実行ボタン２１３をクリック（押下）することで、情報通知画面７００を対象のマルチディスプレイ６００へ表示される。
【００３４】
映像合成器３００では、入力された映像の座標点の範囲を他の映像と合成することができるため、システム制御装置１００で生成された情報通知画面７００の座標位置を算出することで、本実施形態では以下の応用例が可能となる。
【００３５】
図６は、本実施形態に係るマルチディスプレイシステムを用いた河川監視システムの構成を示す図である。河川監視システムは、指令本部８００ｈ、各河川近辺に設けられたＡ出張所８００ａ、Ｂ出張所８００ｂ、Ｎ出張所８００ｎなどから構成される。指令本部８００ｈは、マルチディスプレイ６００ｈ、操作端末２００ｈを有する。Ａ出張所８００ａは、マルチディスプレイ６００ａ、操作端末２００ａを有する。Ｂ出張所８００ｂは、マルチディスプレイ６００ｂ、操作端末２００ｂを有する。Ｎ出張所８００ｎは、マルチディスプレイ６００ｎ、操作端末２００ｎを有する。また、システム制御装置１００には、表示部３１（図２参照）を有する。図６の河川監視システムにおける情報通知の方法について、図７を参照して説明する。
【００３６】
図７は、マルチディスプレイシステムＭＤＳを用いた情報通知の方法を示す図であり、（ａ）はシステム制御装置１００の画面例であり、（ｂ）〜（ｄ）は、各所のマルチディスプレイの表示例とその操作画面例である。適宜図１、図２、図６を参照する。
【００３７】
指令本部８００ｈの監視員は、図７（ｂ）の右に示す操作端末２００ｈの操作画面から、例えば、「大雨洪水警報発令中、被害状況報告せよ」と通知を、全ての表示先を選択して指令したとする。この場合、システム制御装置１００は、図７（ａ）に示す「本部＞大雨洪水警報発令中、被害状況報告せよ」の情報通知画面７００ｈを生成し、指令本部８００ｈ、Ａ出張所８００ａ、Ｂ出張所８００ｂの各マルチディスプレイ６００ｈ，６００ａ，６００ｂに表示する。
【００３８】
Ａ出張所８００ａの監視員は、図７（ｃ）の左に示す「本部＞大雨洪水警報発令中、被害状況報告せよ」の情報通知を見て、図７（ｃ）の右に示す操作端末２００ａの操作画面から、例えば、「○○川氾濫  ○○橋通行止め」の通知を、Ａ出張所８００ａ（自身）を除く表示先を選択して指令する。この場合、システム制御装置１００は、図７（ａ）に示す「Ａ＞○○川氾濫  ○○橋通行止め」の情報通知画面７００ａを生成し、指令本部８００ｈのマルチディスプレイ６００ｈ、Ｂ出張所８００ｂのマルチディスプレイ６００ｂに表示する。これにより、指令本部８００ｈの監視員、Ｂ出張所８００ｂの監視員は、現在の状況を迅速に把握することができる。
【００３９】
Ｂ出張所８００ｂの監視員は、図７（ｄ）の左に示す「Ａ＞○○川氾濫  ○○橋通行止め」の通知を受けて、図７（ｄ）の右に示す操作端末２００ｂの操作画面から、例えば、「詳細情報を○○まで連絡下さい」の通知を、Ａ出張所８００ａだけを表示先に選択して指令する。この場合、システム制御装置１００は、図７（ａ）に示す「Ｂ＞詳細情報を○○まで連絡下さい」の情報通知画面７００ｂを生成し、Ａ出張所８００ａのマルチディスプレイ６００ａに表示する。これにより、Ａ出張所８００ａの監視員は、Ｂ出張所から、詳細情報の要求がきていることが迅速に把握することができる。
【００４０】
以上、図７において、指令本部８００ｈの操作端末２００ｈから通知された情報通知画面７００ｈの画像範囲は全てのマルチディスプレイ６００ｈ，６００ａ，６００ｂ，６００ｎに表示される。また、Ａ出張所８００ａの操作端末２００ａから通知された情報通知画面７００ａの画像範囲はＡ出張所８００ａを除く全てのマルチディスプレイに対して情報通知される。また、Ｂ出張所８００ｂにて通知された情報通知画面７００ｂの画像範囲はＡ出張所８００ａのマルチディスプレイ６００ａに対して情報が通知される。これにより、大雨洪水警報時における情報共有と、必要な情報の送受信を的確に行うことができる。
【００４１】
本実施形態のマルチディスプレイシステムＭＤＳは、複数のマルチディスプレイ表示ユニット１８０を有し、情報通知画面７００のマルチディスプレイ６００への表示操作において、操作端末２００に、情報通知画面７００の表示先であるマルチディスプレイ表示ユニット１８０を単一または複数選択させる。
【００４２】
操作端末２００は、情報通知画面７００のための情報入力を行う入力部（例えば、通知メッセージ入力欄２１１）と、情報通知画面の表示先であるマルチディスプレイ表示ユニットを単一または複数選択できる選択部（例えば、表示先選択ボタン２１２）とを有する。
【００４３】
マルチディスプレイ表示ユニット１８０へ情報通知画面を出力する指令をする際に、操作端末２００に操作権に関係なく特定または複数のマルチディスプレイ表示ユニット１８０を選択させることができ、操作端末２００を介して特定または複数のマルチディスプレイ表示ユニット１８０に一括で情報通知画面を表示する旨の指令をシステム制御装置１００に行うことができる。
【００４４】
システム制御装置１００は、生成した情報通知画面７００をマルチディスプレイ表示ユニット１８０へ表示する際に、情報通知画面７００の切り出し位置や表示位置を算出して、マルチディスプレイ表示ユニット１８０に指令することができる。
【００４５】
システム制御装置１００は、生成した情報通知画面７００をマルチディスプレイ表示ユニット１８０へ表示する際に、表示対象のマルチディスプレイ６００に障害が発生していた場合、映像が表示可能な位置に情報通知画面７００を表示することができる。
【００４６】
本実施形態では、マルチディスプレイシステムＭＤＳにて情報通知画面７００の生成を行い、各マルチディスプレイへ情報通知画面７００をポップアップで表示することができる。また、ディスプレイの障害情報を検知し、表示可能なディスプレイにポップアップ表示することで、確実な情報伝達ができる。
【００４７】
システム制御装置１００は、情報通知用の画面生成手段と画面出力手段を備える。システム制御装置１００は、操作端末２００からの操作員操作により、情報通知画面７００を生成するとともに、マルチディスプレイ６００に表示している映像と生成した映像を映像合成器で合成し、マルチディスプレイ６００に情報通知画面をポップアップ表示する。
【００４８】
システム制御装置１００は、ポップアップ表示をするために、映像切換装置４００を制御しマルチディスプレイ６００に表示されているものと同じ映像を映像合成器３００の映像入力部３０１へ切り換え、映像合成器３００で出力映像をマルチディスプレイ６００に切り換えるとともに、映像合成器３００を制御し、情報通知画面７００とマルチディスプレイ６００に表示されていた映像を合成する。
【００４９】
本実施形態によれば、情報通知手段を有するシステムの映像をマルチディスプレイ６００に常に表示していなくても、映像合成器３００を利用し、ディスプレイに表示中の映像上に情報通知画面をポップアップ表示することにより、情報伝達能力の向上を図ることができる。さらに、マルチディスプレイシステムＭＤＳにおいてマルチディスプレイ６００の障害状態を監視し、正常に稼動しているディスプレイに情報伝達画面を表示することでより確実に情報を伝達することができる。また、情報通知の際に表示対象となるマルチディスプレイ６００を選択することで、情報に関係しないマルチディスプレイ６００に対しての情報通知画面の表示を制限することができる。
【符号の説明】
【００５０】
１０    処理部
１１    Ｗｅｂサーバ部（Ｗｅｂサーバプログラム）
１２    制御管理部（画面出力手段）
２０    記憶部
２１    マルチディスプレイ情報
２２    映像切換装置情報
２３    映像合成器情報
２４    操作端末情報
２５    構成情報
３０    通信部
３１    表示部
５０    ネットワーク
１００    システム制御装置
１０２    映像出力部
１２１    画面生成制御部（画面生成手段）
１２２    マルチディスプレイ制御部
１２３    映像切換装置制御部
１２４    映像合成器制御部
１８０    マルチディスプレイ表示ユニット
２００    操作端末
２１０    入力画面（操作画面）
２１１    通知メッセージ入力欄
２１２    表示先選択ボタン（選択部）
２１３    実行ボタン
２１４    リセットボタン
３００    映像合成器
４００    映像切換装置
５００    映像入力装置
６００    マルチディスプレイ
７００    情報通知画面
７０１    マルチディスプレイ表示映像
７０２    情報通知画面合成映像
７０３    情報通知画面合成マルチディスプレイ画面
８００ａ    Ａ出張所
８００ｂ    Ｂ出張所
８００ｈ    指令本部
ＭＤＳ    マルチディスプレイシステム
【図１】
2018155985.tif 000003
【図２】
2018155985.tif 000004
【図３】
2018155985.tif 000005
【図４】
2018155985.tif 000006
【図５】
2018155985.tif 000007
【図６】
2018155985.tif 000008
【図７】
2018155985.tif 000009